(57)【特許請求の範囲】
【請求項１】
ソケット本体と、該ソケット本体の一側に回動可能に枢支されて他側にソケット本体と係合されるラッチ機構を有し、かつ中央部分に押圧部を有するカバー部材と、ＩＣパッケージが装着される台座と、複数個のコンタクトとを有するＩＣソケットにおいて、
前記ソケット本体に対してカバー部材を押し上げるためのカバー押上機構をさらに有し、
前記カバー押上機構は、前記ラッチ機構の操作レバー部を弾性附勢するコイルばねで形成されることを特徴とするＩＣソケット。
【請求項２】
前記コイルバネは、大径部と小径部とを有する二段コイルバネであって、大径部は、前記カバー部材に形成されるざぐり部に載座され、小径部は、前記カバー部材に形成される孔から突出するように構成されていることを特徴とする請求項１記載のＩＣソケット。
【請求項３】
前記コイルばねは、上端部が前記操作レバー部の突部に係合することを特徴とする請求項２記載のＩＣソケット。
【請求項４】
前記二段コイルばねは、下端部が前記ソケット本体の突部と係合することを特徴とする請求項２記載のＩＣソケット。
【発明の詳細な説明】
【０００１】
【発明の属する技術分野】
本発明は、ＩＣパッケージ等の半導体装置が用いられるＩＣソケットに関するもので、特に、一側にて枢支されるカバー部材の開閉時のラッチ係合を弾性的に抑制することができるＩＣソケットに関するものである。
【０００２】
なお、本明細書において使用される用語「回動」とは、「正逆方向に円運動すること」を意味するように用いられるものである。
【０００３】
【従来の技術】
従来、電気部品としてのＩＣパッケージ等は、ＩＣソケットのソケット本体に装着し、カバー部材を閉じて、押圧機構によって押圧して保持するようにしたＩＣソケットが知られている。このような従来におけるＩＣソケットの一例が、図６乃至図８に示されている。
【０００４】
図示されるように、従来のＩＣソケット１００は、固定側のソケット本体１０２と、ソケット本体１０２の一側に回動可能に枢支されたカバー部材１０３と、カバー部材１０３の中央に設けられた押圧部１０４と、ソケット本体１０２内に設けられた複数個のコンタクト１０５と、カバー部材１０３をソケット本体１０２に係脱自在に係止するようにカバー部材１０３の他方の側に設けられたラッチ機構１０６と、ソケット本体１０２に対してＩＣパッケージ１１０を装着して支持する台座１０７とを有している。また、これらソケット本体１０２とカバー部材１０３と押圧部１０４とラッチ機構１０６と台座１０７等は、例えば電気的に絶縁性の適宜な合成樹脂材料から好適に作られている。
【０００５】
このような従来のＩＣソケット１００において、ソケット本体１０２とカバー部材１０３は、ほぼ長方形状をなしており、それぞれ一側のヒンジ部としての枢支部１０８、１０９においてピン１１２により回動可能に枢支されるようにヒンジ連結されると共に、捩りばねのようなばね部材１２４によって開放方向に弾性附勢されている。さらに、ソケット本体１０２の他方の側には、ラッチ機構１０６のためのラッチ用突部１１４が設けられている。さらに、このようなラッチ機構１０６のためのラッチ用突部１１４は、ラッチ機構１０６のラッチレバー１１５の爪部１１６が係止されるように設けられている。
【０００６】
このようなラッチ機構１０６は、ラッチレバー１１５と操作レバー部１１７とを有しており、操作レバー部１１７の操作によってラッチレバー１１５の爪部１１６がソケット本体１０２の突部１１４に対して係止可能に操作されるように形成されている。さらにまた、このようなラッチ機構１０６のラッチレバー１１５は、操作レバー１１７と一体的に形成されており、カバー部材１０３にピン１２０によって回動可能に取付けられており、コイルスプリングのようなばね部材１１９によって爪部１１６がソケット本体１０２のラッチ用突部１１４に係止される方向に弾性附勢されている。
【０００７】
また、ソケット本体１０２には、ＩＣパッケージ１１０を載置して装着するためのＩＣパッケージ装着部１１１を有する台座１０７が周辺部分において複数個のコイルスプリングのような適宜なばね部材１２１によって弾性支持されており、この台座１０７に複数個のコンタクト１０５の先端部が僅かに突出できるように差し込まれていて、例えばボール・グリッド・アレイ・タイプやランド・グリッド・アレイ・タイプのＩＣパッケージ等が台座１０７のＩＣパッケージ装着部１１１に装着されるように構成されており、コンタクト１０５の先端部がＩＣパッケージ１１０の外部端子と接触されて接続されるように形成されている。
【０００８】
さらに、このようなＩＣソケット１００において、ラッチ機構１０６を解錠しても捩りばね等のばね部材１２４のばね力ではカバー部材１０３を良好に開放することができない場合があるので、カバー部材１０３の開放を助けるように、ソケット本体１０２の開放側の隅部に別のばね部材１２２（図８）が設けられている。このような別のばね部材１２２を設ける例としては、例えば、実用新案登録第２５３２７１８号公報がある。
【０００９】
【発明が解決しようとする課題】
しかしながら、従来におけるこのような電気部品としてのＩＣパッケージ１１０等が装着されるＩＣソケット１００においては、ソケット本体１０２に対して閉じられていたカバー部材１０３を開く場合に、カバー部材１０３を施錠するラッチ機構１０６を開放作動した時に、カバー部材１０３が開放用のばね部材１２２と捩りばね１２４とによって勢い良く、あるいはまた急激に開いたりするために、ＩＣパッケージ１１０がソケット本体１０２から飛び出したり、ソケット本体１０２自体がカバー部材１０３と一緒に飛び跳ねてしまうために、ソケット本体１０２とカバー部材１０３、あるいはまたＩＣソケット１１０等が損傷したりして、取扱の上で危険で、かつ厄介であり、さらに、衝撃を発生する等の問題が見られる。
【００１０】
従って、本発明の目的は、このような従来における問題点を解決するために、カバー部材を開く時に緩やかに衝撃なく、しかも良好に開くことができるようにラッチ機構と協働してカバー部材の押上げを行うカバー押上機構を有するＩＣソケットを提供することにある。
【００１１】
【課題を解決するための手段】
上述の目的を達成するために、本発明のＩＣソケットは、ソケット本体と、該ソケット本体の一側に回動可能に枢支されて他側にソケット本体と係合されるラッチ機構を有し、かつ中央部分に押圧部を有するカバー部材と、ＩＣパッケージが装着される台座と、複数個のコンタクトとを有するＩＣソケットにおいて、前記ソケット本体に対してカバー部材を押し上げるためのカバー押上機構をさらに有し、前記カバー押上機構は、前記ラッチ機構の操作レバー部を弾性附勢するコイルばねで形成されることを特徴とする。
【００１２】
また、本発明のＩＣソケットは、前記コイルバネは、大径部と小径部とを有する二段コイルバネであって、大径部は、前記カバー部材に形成されるざぐり部に載座され、小径部は、前記カバー部材に形成される孔から突出するように構成されていることを特徴とする。
【００１３】
さらに、本発明のＩＣソケットは、前記コイルばねが二段コイルばねで、上端部が前記操作レバー部の突部に係合することを特徴とする。
【００１４】
さらにまた、本発明のＩＣソケットは、前記二段コイルばねの下端部が前記ソケット本体の突部と係合することを特徴とする。
【００１６】
本発明のその他の目的や特徴および利点は、添付図面に示される本発明の実施形態についての以下の詳細な説明から明らかであろう。
【００１７】
【発明の実施の形態】
（実施例１）
図１乃至図３は、本発明のＩＣソケットの一実施例を示す図で、図１は、本発明のＩＣソケットのカバー部材を閉じた時の中央縦方向断面図で、図２は、図１の本発明のＩＣソケットのカバー部材を開く時の中央縦方向断面図、図３は、図１の本発明のＩＣソケットのカバー部材を開き始めた時の図２に続いての中央縦方向断面図である。
【００１８】
図１乃至図３に示されるように、本発明のＩＣソケット１は、固定側のソケット本体２と、このソケット本体２の一方の側部にて回動可能に枢支されたカバー部材３と、カバー部材３の中央に設けられた押圧部４と、ソケット本体２内に設けられた複数個のコンタクト５と、カバー部材３をソケット本体２に係脱自在に係止するようにカバー部材３の他方の側部に設けられたラッチ機構６と、ソケット本体２に対してＩＣパッケージ１０を装着して支持する台座７と、カバー部材３を開くべく押し上げるためのカバー押上機構１８とを有している。さらにまた、これらソケット本体２とカバー部材３と押圧部４とラッチ機構６と台座７等は、例えば電気的に絶縁性の適宜な合成樹脂材料から作られるのが好適である。
【００１９】
本発明のこのようなＩＣソケット１において、ソケット本体２とカバー部材３は、ほぼ方形状または長方形状をなしており、それぞれ一方の側のヒンジ部としての枢支部８と枢支部９とにおいて回動可能に枢支されるようにヒンジ連結されている。さらに、ソケット本体２は、ＩＣパッケージ１０を載置して装着するためのＩＣパッケージ装着部１１を有する台座７を周辺部分または側辺部分においてコイルスプリングのようなばね部材２１によって弾性支持しており、この台座７のほぼ中央部分に複数個のコンタクト５が下側から台座７のテーパー付の孔内に挿通されて、例えばボール・グリッド・アレイ・タイプのＩＣパッケージ１０が台座７上に装着されるように構成されており、コンタクト５の先端部５ａが、このＩＣパッケージ１０の外部端子と接触されて接続されるように配列されている。
【００２０】
さらに、このようなソケット本体２内に配置されるコンタクト５は、ＩＣパッケージ１０が装着される台座７を、上記のばね部材２１と協働して弾性支持できるようにほぼ「く」の字形に屈曲または彎曲した形状に形成されており、先端部５ａが台座４のテーパー付の孔に下側から差し込まれて、中央の屈曲部５ｂで台座４を弾性支持しており、下方部分の固着部５ｃにおいてソケット本体２に固着されていて、さらに下方に突出しており、この下方への突出部分が端子ピン部５ｄとしてプリント基板やテストボード等の端子孔に差し込んで装着できるように形成されていて、導電性の良好な金属薄板材料等から好適に作られている。
【００２１】
また、ソケット本体２とカバー部材３は、一側においてカバー部材３を回動可能に枢支するための枢支部８、９が設けられていて、カバー部材３が、例えばピン１２によってソケット本体２に枢動可能にヒンジ連結されると共に、ねじりばねのようなばね部材２４によって開放方向に弾性偏倚されている。さらにまた、ソケット本体３の他側には、ラッチ機構６のためのラッチ用突部１４が設けられている。このようなラッチ機構６のためのラッチ用突部１４は、カバー部材３におけるラッチ機構６のラッチレバー１５の爪部１６が係止されるように設けられている。
【００２２】
このようなラッチ機構６は、ラッチレバー１５と操作レバー部１７とを有しており、この操作レバー部１７の操作によってラッチレバー１５の爪部１６がソケット本体２の突部１４に対して係止可能に操作されるように形成されている。さらにまた、このようなラッチ機構６のラッチレバー１５は、操作レバー部１７と一体的に形成されており、カバー部材３にピン２０によって回動可能に取付けられていて、コイルスプリングのような適宜なばね部材１９によって爪部１６がソケット本体２のラッチ用突部１４に係止される方向に弾性附勢されているのが好適である。
【００２３】
カバー部材３は、一側の枢支部９において、ピン１２によってソケット本体２の枢支部８に回動可能にヒンジ連結されている。さらに、カバー部材３の下側中央部分にはほぼ四角形状の、ＩＣパッケージ１０の外形に対応して形状の押圧部４が設けられており、この押圧部４によってＩＣパッケージ１０がソケット本体２の台座７上にしっかりと押圧されて装着されるように形成されている。
【００２４】
このような押圧部４は、図示されるように、カバー部材３の下面中央部分に突出するようにカバー部材３と一体的に、あるいはまたカバー部材３と別体として形成されて取り付けることができ、台座７上に載置されたＩＣパッケージ１０を上方から押圧するように設けられている。
【００２５】
このように構成された本発明のＩＣソケット１において、ＩＣパッケージ１０を装着したり、あるいは取り出すためにカバー部材３を衝撃なくスムーズに開閉するように、カバー部材３は、図示されるように、ソケット本体２に対して回動可能に枢支されている。
【００２６】
このようなカバー部材３をソケット本体２に対してラッチ係合して錠止するためのラッチ機構６に加えて、ソケット本体２に対してカバー部材３をスムーズに開放するために、カバー押上機構１８が設けられている。このカバー押上機構１８は、ばね部材１９を有している。カバー押上機構１８のこのようなばね部材１９は、ラッチ機構６の操作レバー部１７を弾性附勢するばね部材１９と兼用されるばね部材であって、本実施例においては二段コイルばねとして形成されている。
【００２７】
すなわち、ばね部材１９は、図示されるように、上方部分が大径で、下方部分が小径に形成されており、大径部分１９ａの下端部がカバー部材３のざぐり部に載座され、小径部分１９ｂがカバー部材３の孔内に嵌め込まれて下方に突出しており、この小径部分１９ｂの下端部がソケット本体２の上面に当接されて押圧するように作られている。
【００２８】
従って、このような二段コイルばねの形状に形成されたカバー押上機構１８のばね部材１９は、ラッチ機構６のばね部材を兼ねるもので、図１に示される閉合状態において、大径部分１９ａが操作レバー部１７を矢印方向に押圧してラッチレバー１５の爪部１６をソケット本体２のラッチ用の突部１４にしっかりと係合させて結合させている。
【００２９】
カバー部材３を開放するために、ラッチ機構６を解錠するには、図２に示されるように、操作レバー部１７を矢印方向に押圧すると、ピン２０周りにラッチレバー１５が回動して爪部１６が、ソケット本体２のラッチ用の突部１４から外れてラッチ機構６が開錠されて開かれるようになる。
【００３０】
次いで、カバー押上機構１８のばね部材としての、この二段コイルばね形状のばね部材１９は、操作レバー部１７の押された力に加えて、ばね部材１９の小径部分１９ｂがソケット本体２に対して押し上げるように作用して、図３に示されるように、カバー部材３を持ち上げるように作用するので、この状態において、カバー部材３が押し上げられるようになり、ピン１２周りの捩りばねのばね力の助けによってカバー部材３がスムーズに開かれるようになり、カバー押上機構１８としての作用を行うようになる。
【００３１】
上述したように構成された本発明のＩＣソケット１において、このようにラッチ機構６のばね部材とカバー押上機構１８のばね部材とを兼ねる二段コイルばね形状のばね部材１９は、ラッチ機構６のラッチレバー１５をラッチ係合する弾性部材として作用すると共に、カバー部材３を押し上げるカバー押上機構１８の弾性部材としても作用して、二つの弾性部材の役目を１つの弾性部材で行うために、部品の数が少なくて済み、カバー部材３を開閉させる時に直接に作用するために、押し上げ効果が、従来におけるばね部材よりも一層確実になって、１つのばね部材でラッチ機構６の結合とカバー部材３を押し上げて開くカバー押上機構１８との２つの機能を有するものである。
【００３２】
また、このような本発明のＩＣソケットにおいて、変形例として、ラッチ機構６およびカバー押上機構１８におけるばね部材１９を、図４に示されるように、段差の無いストレートな、すなわち同一直径のばね部材１９Ａとして、ソケット本体２とカバー部材３の対向面のどちらか一方に一箇所以上設けたものと、図５に示されるような二段コイルばね形状のばね部材１９Ｂを、ソケット本体２に形成された突部２３Ｂと協同させて弾性部材としてのばね部材１９Ｂとすることができる。このような突部２３、２３Ｂは、カバー部材３もしくはソケット本体２から凸状でも凹状でも、同一面でも押圧可能にしたものとすることができる。なお、これら変形例としてのＩＣソケット１Ａ、１Ｂの基本的な構成をなすソケット本体２とカバー部材３とコンタクト７と台座７等は実質的に同じであり、従って、同じ構成の部材に就いては、その詳細な説明を省略するものとする。
【００３３】
図４に示されるように、この変形例のＩＣソケット１Ａにおいては、ばね部材１９Ａは同一直径のストレートな形状をなしており、操作レバー部１７に突部２３が設けられていて、この突部２３においてばね部材１９Ａの上端部を受けるように形成されている。
【００３４】
また、図５に示されるように、別の変形例のＩＣソケット１Ｂにおいては、ばね部材１９Ｂが二段コイルばね形状をなしており、先に説明した実施例１におけるばね部材１９と同じにすることができ、ソケット本体２の上面に突部２３Ｂが設けられていて、この突部２３Ｂがばね部材１９Ｂの小径部分１９ｂの下端部を押圧するように形成されている。また、このような突部２３Ｂは、ソケット本体２でもカバー部材３でもいずれの側にも凸状でも凹状にも形成することができるものであり、あるいは同一面でも押圧可能で、操作性を向上して改善する効果を有するものである。
【００４１】
【発明の効果】
本発明の請求項１記載のＩＣソケットは、ソケット本体と、該ソケット本体の一側に回動可能に枢支されて他側にソケット本体と係合されるラッチ機構を有し、かつ中央部分に押圧部を有するカバー部材と、ＩＣパッケージが装着される台座と、複数個のコンタクトとを有するＩＣソケットにおいて、前記ソケット本体に対してカバー部材を押し上げるためのカバー押上機構をさらに有し、前記カバー押上機構は、前記ラッチ機構の操作レバー部を弾性附勢するコイルばねで形成されるので、ラッチ機構とカバー押上機構との兼用のばね部材によって、ラッチ機構をラッチ係合する弾性部材と、カバー部材を押し上げるカバー押上機構の弾性部材としての、二つの弾性部材の役目を１つの弾性部材で行うために、部品の数が少なくて済み、かつカバー部材を開閉させる時に直接に作用するために、押し上げ効果が、従来におけるよりも一層確実になって、１つの弾性部材でラッチ機構の結合とカバー部材を押し上げて開くカバー押上機構との２つの機能を有する効果があり、部品数の低減によるコストの低減を計り、組立作業の改善を計って作業効率を向上することができる。
【００４２】
本発明の請求項２記載のＩＣソケットは、コイルバネが大径部と小径部とを有する二段コイルバネであって、大径部は、前記カバー部材に形成されるざぐり部に載座され、小径部は、前記カバー部材に形成される孔から突出するように構成されているので、大径部と小径部のばね定数が変えられることで、押上効果が、より一層確実になり、また、コイルばねを兼用して利用することによって部品数を低減できると共にコストを低減して組立作業を改善を計ることができる。
【００４３】
本発明の請求項３記載のＩＣソケットは、前記コイルばねが二段コイルばねで、上端部が前記操作レバー部の突部に係合するので、形状を小さくして効果的に作用するようにでき、機能の向上を計ることができる。
【００４４】
本発明の請求項４記載のＩＣソケットは、前記二段コイルばねの下端部が前記ソケット本体の突部と係合するので、押し上げ効果を確実にすることができる。
【図面の簡単な説明】
【図１】  本発明のＩＣソケットの実施例１における閉合時の中央縦方向断面図である。
【図２】  図１の本発明のＩＣソケットのカバー部材を開く時の中央縦断面図である。
【図３】  図１の本発明のＩＣソケットのカバー部材を開き始めた時の中央縦断面図である。
【図４】  図１の本発明のＩＣソケットの実施例１における変形例を示す中央縦断面図である。
【図５】  図１の本発明のＩＣソケットの実施例１における別の変形例を示す中央縦断面図である。
【図６】  従来のＩＣソケットにおける閉合時の中央縦方向断面図である。
【図７】  図６の従来のＩＣソケットのカバー部材を開いた時の平面図である。
【図８】  図６の従来のＩＣソケットのカバー部材を開いた時の側面図である。
【符号の説明】
１      ＩＣソケット
２      ソケット本体
３      カバー部材
４      押圧部
５      コンタクト
６      ラッチ機構
７      台座
８      枢支部
９      枢支部
１０    ＩＣパッケージ
１１    ＩＣパッケージ装着部
１２    ピン
１４    ラッチ用突部
１５    ラッチレバー
１６    爪部
１７    操作レバー部
１８    カバー押上機構
１９    ばね部材
２０    ピン
２１    ばね部材
２３    突部
２４    ばね部材
【図１】
0003822528.tif 000002
【図２】
0003822528.tif 000003
【図３】
0003822528.tif 000004
【図４】
0003822528.tif 000005
【図５】
0003822528.tif 000006
【図６】
0003822528.tif 000007
【図７】
0003822528.tif 000008
【図８】
0003822528.tif 000009